(57)【要約】【課題】  ＬＡＮの物理層を使用しても、１対の伝送線を使用するだけで双方向通信を実施できるインターホンシステムを提供する。【解決手段】  インターホン子機１及びインターホン親機２に、ローカルエリアネットワークのＭＡＣフレームで使用されるプリアンブルとアイドルとで伝送データをカプセル化して送受するための伝送フレーム組立分離回路１５，２５、物理層データに変換するＬＡＮ物理層構築部１６，２６を設け、ＬＡＮ物理層を構成する伝送線路のうちの送信端子及び受信端子を備えた１対の伝送線Ｌ１により双方を接続した。また、送信端子のインピーダンスの高／低を変換するための広帯域アナログスイッチ１７，２７を設け、伝送フレーム組立分離回路１５，２５が所定のタイミングで送信端子のインピーダンスの高／低を切り替えてカプセル化された伝送データの送受を交互に実施させた。【選択図】  図１
2010011218.tif 000002
【特許請求の範囲】
【請求項１】
居住者を呼び出して通話する機能を備えたインターホン子機と、呼び出しに応答する機能を備えたインターホン親機とをローカルエリアネットワークの物理層を使用して接続したインターホンシステムであって、
前記インターホン子機と前記インターホン親機とは、前記物理層を構成する伝送線路のうちの送信端子及び受信端子を備えた１対の伝送線同士がそれぞれ接続されると共に、
双方に、前記ローカルエリアネットワークのＭＡＣフレームで使用されるプリアンブルとアイドルとで、通話データ等の伝送データをカプセル化するカプセル化手段と、
前記伝送線路のインピーダンスの高／低を切り替えるインピーダンス切換手段と、
当該インピーダンス切換手段を切換制御するインピーダンス制御部とを設け、
前記インピーダンス制御部は、所定のタイミングでインピーダンスを切り替えて前記カプセル化された伝送データの通信を可能として前記インターホン子機と前記インターホン親機との間で半二重通信を実施することを特徴とするインターホンシステム。
【請求項２】
不審者等を撮像するための監視カメラ装置と当該監視カメラ装置の撮像映像を表示するモニタ装置とをローカルエリアネットワークの物理層を使用して接続した監視カメラシステムであって、
前記監視カメラ装置と前記モニタ装置とは、前記物理層を構成する伝送線路のうち送信端子及び受信端子を備えた１対の伝送線同士がそれぞれ接続され、
前記監視カメラ装置に、前記ローカルエリアネットワークのＭＡＣフレームで使用されるプリアンブルとアイドルとで、伝送する映像データをカプセル化するカプセル化手段を設けると共に、前記モニタ装置に、前記ローカルエリアネットワークのＭＡＣフレームで使用されるプリアンブルとアイドルとで、伝送されるズーム、パン・チルト等のカメラ制御データをカプセル化するカプセル化手段を設け、
更に、前記伝送線路のインピーダンスの高／低を切り替えるインピーダンス切換手段と、当該インピーダンス切換手段を切換制御するインピーダンス制御部とをそれぞれ設け、
前記インピーダンス制御部は、所定のタイミングでインピーダンスを切り替えて前記カプセル化された映像データ及び制御データの送信を可能として前記監視カメラ装置と前記モニタ装置との間で半二重通信を実施することを特徴とする監視カメラシステム。
【請求項３】
前記インピーダンス切換手段が、広帯域アナログスイッチであることを特徴とする請求項１記載のインターホンシステム。
【請求項４】
前記インピーダンス切換手段が、広帯域アナログスイッチであることを特徴とする請求項２記載の監視カメラシステム。
【発明の詳細な説明】
【技術分野】
【０００１】
本発明はインターホンシステム及び監視カメラシステムに関し、詳しくはこれらのシステムの機器間の通信で使用される通信形態に関する。
【背景技術】
【０００２】
来訪者が居住者を呼び出す為に使用する従来のインターホンシステムは、玄関にインターホン子機を設置すると共に住戸内にインターホン親機を設置して、双方の間を２線式の専用の伝送線で接続している。また、住戸の周囲に現れた不審者を監視するための従来の監視カメラシステムは、住戸周囲に人物の接近を受けて撮像動作するセンサカメラを設置して、住戸内にモニタ装置を設置して、双方の間を２線式の専用の伝送線で接続している。
しかし、システム拡張の容易性から、上述した専用の伝送線を使用した通信形態に代えて、ローカルエリアネットワーク（以下、「ＬＡＮ」と称する。）を使用して機器間の通信を行う通信形態がある。例えば、特許文献１では、ＬＡＮ物理層のうちの４本の伝送線路を使用して双方向通信を実施することで、インターホン子機とインターホン親機との間の通信や、監視カメラ装置とモニタ装置との間の通信を可能とした。
【特許文献１】特開２００４−２３５８８５号公報
【発明の開示】
【発明が解決しようとする課題】
【０００３】
ところが、上記２線式の伝送線を使用した従来のシステムから、上記ＬＡＮを使用する形態に変更しようとした場合、伝送線は４本必要になるため、少なくとも２本の新たな伝送線を配設しなければ成らなかった。そのため、既設のインターホン設備等をＬＡＮを使用する構成に変更することは面倒であり、既設の配線設備を有効に利用できるシステムが望まれていた。
【０００４】
そこで、本発明はこのような問題点に鑑みなされたもので、ＬＡＮの物理層を使用しても、１対の伝送線路を使用するだけで双方向通信が実施できるインターホンシステム、及び監視カメラシステムを提供することを目的とする。
【課題を解決するための手段】
【０００５】
上記課題を解決する為に、請求項１の発明は、居住者を呼び出して通話する機能を備えたインターホン子機と、呼び出しに応答する機能を備えたインターホン親機とをローカルエリアネットワークの物理層を使用して接続したインターホンシステムであって、インターホン子機とインターホン親機とは、物理層を構成する伝送線路のうちの送信端子及び受信端子を備えた１対の伝送線同士がそれぞれ接続されると共に、双方に、ローカルエリアネットワークのＭＡＣフレームで使用されるプリアンブルとアイドルとで、通話データ等の伝送データをカプセル化するカプセル化手段と、伝送線路のインピーダンスの高／低を切り替えるインピーダンス切換手段と、当該インピーダンス切換手段を切換制御するインピーダンス制御部とを設け、インピーダンス制御部は、所定のタイミングでインピーダンスを切り替えてカプセル化された伝送データの通信を可能としてインターホン子機とインターホン親機との間で半二重通信を実施することを特徴とする。
この構成によれば、ローカルエリアネットワークの物理層を構成する１対の伝送線を使用して双方向通信を実施でき、来訪者と居住者の間で通話することができる。よって、既存のシステムで使用してる２線式の伝送線路に加えて新たな伝送線路を配設することなく、インターホン子機とインターホン親機との間の通信をローカルエリアネットワークを利用する構成に変更できる。
【０００６】
請求項２の発明は、不審者等を撮像するための監視カメラ装置と当該監視カメラ装置の撮像映像を表示するモニタ装置とをローカルエリアネットワークの物理層を使用して接続した監視カメラシステムであって、監視カメラ装置とモニタ装置とは、物理層を構成する伝送線路のうち送信端子及び受信端子を備えた１対の伝送線同士がそれぞれ接続され、監視カメラ装置に、ローカルエリアネットワークのＭＡＣフレームで使用されるプリアンブルとアイドルとで、伝送する映像データをカプセル化するカプセル化手段を設けると共に、モニタ装置に、ローカルエリアネットワークのＭＡＣフレームで使用されるプリアンブルとアイドルとで、伝送されるズーム、パン・チルト等のカメラ制御データをカプセル化するカプセル化手段を設け、更に、伝送線路のインピーダンスの高／低を切り替えるインピーダンス切換手段と、当該インピーダンス切換手段を切換制御するインピーダンス制御部とをそれぞれ設け、インピーダンス制御部は、所定のタイミングでインピーダンスを切り替えてカプセル化された映像データ及び制御データの送信を可能として監視カメラ装置とモニタ装置との間で半二重通信を実施することを特徴とする。
この構成によれば、ローカルエリアネットワークの物理層を構成する１対の伝送線を使用して双方向通信を実施でき、不審者を監視できる。よって、既存のシステムで使用してる２線式の伝送線路に加えて新たな伝送線路を配設することなく、監視カメラとモニタ装置との間の通信をローカルエリアネットワークを利用する構成に変更できる。
【０００７】
請求項３の発明は、請求項１に記載の発明において、インピーダンス切換手段が、広帯域アナログスイッチであることを特徴とする。
この構成によれば、確実に伝送路のインピーダンスの高／低を切り替えでき、良好な通信を実現できる。
【０００８】
請求項４の発明は、請求項２に記載の発明において、インピーダンス切換手段が、広帯域アナログスイッチであることを特徴とする。
この構成によれば、確実に伝送路のインピーダンスの高／低を切り替えでき、良好な通信を実現できる。
【発明の効果】
【０００９】
本発明によれば、インターホンの通話や不審者の監視がローカルエリアネットワークの物理層を構成する１対の伝送線を使用して実施できる。よって、既存のシステムで使用している２線式の伝送線路を活用でき、新たな伝送線路を配設すること無く既存のインターホン設備や監視カメラ設備をローカルエリアネットワークを利用する構成に変更できる。
【発明を実施するための最良の形態】
【００１０】
以下、本発明を具体化した実施の形態を、図面に基づいて詳細に説明する。図１は本発明に係るインターホンシステムのブロック図であり、来訪者が居住者を呼び出すためのインターホン子機１と、インターホン子機１からの呼び出しに応答するためのインターホン親機２とから構成され、両者はＬＡＮ物理層を構成する一対の伝送線Ｌ１で接続されている。個々の機器の構成は次の通りである。
【００１１】
図１に示すように、インターホン子機１は、来訪者を撮像してデジタル撮像信号を出力するカメラ１１、音声を集音するマイク１２、音声を出力するスピーカ１３、音声信号をデジタル信号に変換又はその逆を行う子機コーデック１４、データを送受するために伝送フレームの組み立て及び分離を行う子機伝送フレーム組立分離回路１５、ＬＡＮの物理層のうちの送信端子と受信端子とを接続して通信するためのＬＡＮ物理層構築部１６、ＬＡＮ物理層構築部１６の送信端子が伝送線Ｌ１からみて出力状態（低インピーダンス状態）または高インピーダンス状態の何れかに見えるように切替操作する広帯域アナログスイッチ１７、伝送線Ｌ１とインターホン子機１の回路との間を絶縁するためのパルストランス１８等を備えている。尚、子機伝送フレーム組立分離回路１５は広帯域アナログスイッチ１７のオン／オフを制御するインピーダンス制御部でもある。
【００１２】
また、インターホン親機２は、デジタル映像信号を表示するためのディスプレイ２１、音声を集音するマイク２２、音声や呼出信号等を出力するスピーカ２３、音声信号をデジタル信号に変換又はその逆を行う親機コーデック２４、データを送受するために伝送フレームの組み立て及び分離を行う親機伝送フレーム組立分離回路２５、ＬＡＮの物理層のうちの送信端子と受信端子とを接続して通信するためのＬＡＮ物理層構築部２６、ＬＡＮ物理層構築部２６の送信端子が伝送線Ｌ１からみて出力状態（低インピーダンス状態）または高インピーダンス状態の何れかに見えるように切替操作する広帯域アナログスイッチ２７、伝送線Ｌ１とインターホン親機２の回路との間を絶縁するためのパルストランス２８等を備えている。尚、親機伝送フレーム組立分離回路２５は広帯域アナログスイッチ２７のオン／オフを制御するインピーダンス制御部でもある。
【００１３】
上記の如く構成されたインターホンシステムの動作を次に説明する。図２は、伝送線Ｌ１を介して送受される伝送フレームの構成及び伝送状態を示す図であり、（Ａ）はインターホン親機２からインターホン子機１へ伝送される下り伝送フレーム、（Ｂ）はインターホン子機１からインターホン親機２へ伝送される上り伝送フレームを示している。また、図３は下り伝送フレーム（Ａ）と上り伝送フレーム（Ｂ）の伝送タイミングを示すタイミング図である。
【００１４】
この図２に示すように、伝送フレームは、ＬＡＮのＭＡＣフレームで使用されるプリアンブル（ｄ２）とアイドル（ｄ３）とで伝送データ（ｄ１）をカプセル化されて構成されている。そして、図３に示すように、インターホン親機２から一定周期Ｔでインターホン子機１に対して下り伝送フレームが送信され、この下り伝送フレームを受けて、インターホン子機１は上り伝送フレームを送信する。こうして半二重通信を行うことで双方向通信を実施している。
【００１５】
詳しくは、インターホン親機２が下り伝送フレームを送信する際に、親機伝送フレーム組立分離回路２５は、自身が管理する広帯域アナログスイッチ２７をオン操作してＬＡＮ物理層構築部２６の送信端子を低インピーダンス状態とする。同時に、子機伝送フレーム組立分離回路１５は、ＬＡＮ物理層構築部１６の送信端子が伝送線Ｌ１からみて高インピーダンスになり、特性インピーダンスで終端を行った状態となるよう広帯域アナログスイッチ１７をオフ操作する。
【００１６】
この状態で、親機伝送フレーム組立分離回路２５は、上述したようにＬＡＮのＭＡＣフレームで使用されるプリアンブルとアイドルとで通話データから成る伝送データをカプセル化した下り伝送フレームを生成してＬＡＮ物理層構築部２６に出力する。ＬＡＮ物理層構築部２７では、この下り伝送フレームをＬＡＮ送信が可能な物理層データに変換して伝送線Ｌ１に送出する。尚、親機伝送フレーム組立分離回路２５は、下り伝送フレーム送信後、広帯域アナログスイッチ２７をオフ操作してＬＡＮ物理層構築部２６の送信端子を高インピーダンス状態とする。
【００１７】
一方、インターホン子機１は、インターホン親機２から下り伝送フレームを受信したら、上り伝送フレームを送信する。即ち、子機伝送フレーム組立分離回路１５は、上述したようにＬＡＮのＭＡＣフレームで使用されるプリアンブルとアイドルとで通話データや映像データから成る伝送データをカプセル化して上り伝送フレームを生成する。この上り伝送フレームは、ＬＡＮ物理層構築部１６で物理層データに変換されて伝送線Ｌ１に送出される。尚、子機伝送フレーム組立分離回路１５は、上り伝送フレームを出力する際に、広帯域アナログスイッチ１７をオン操作して子機ＬＡＮ物理層構築部１６の送信端子を低インピーダンス状態とする。
【００１８】
具体的な呼出／応答動作は次のように行われる。インターホン子機１の図示しない呼出ボタンが操作されると、デジタル信号から成る呼出データが生成される。この呼出データは子機伝送フレーム組立分離回路１５においてカプセル化されて上り伝送フレームが形成される。そして、子機ＬＡＮ物理層構築部１６で物理層データに変換されて伝送線Ｌ１を介してインターホン親機２に伝送される。
尚、インターホン子機１は、呼出操作を受けてカメラ１１が起動し、その撮像データも伝送される。撮像データは呼出データと同様に、カプセル化されて上り伝送フレームが形成され、インターホン親機２に伝送される。
【００１９】
この呼出データ及び映像データを受信したインターホン親機２は、ＬＡＮ物理層構築部２６でデータ変換された後、親機伝送フレーム組立分離回路２５でカプセル化されたデータが分離される。そして、取り出された呼出データは、親機コーデック２４でアナログ信号に変換され、スピーカ２３から呼出音として出力される。一方、親機伝送フレーム組立分離回路２５で分離された映像データは、ディスプレイ２１に送られて表示される。
【００２０】
その後、この呼び出しを受けて居住者が応答すると、マイク２２が集音した音声は親機コーデック２４でデジタルデータ（通話データ）に変換された後、親機伝送フレーム組立分離回路２５でカプセル化されて下り伝送フレームが形成され、ＬＡＮ物理層構築部２６で物理層データに変換されて伝送線Ｌ１を介してインターホン子機１に送出される。
【００２１】
インターホン子機１では、この下り伝送フレームを受信したらＬＡＮ物理層構築部１６でデータ変換された後、子機伝送フレーム組立分離回路１５で通話データが分離され、子機コーデック１４で音声信号に変換されてスピーカ１３から居住者の音声が出力される。
そして、マイク１２が集音した来訪者の音声は、子機コーデック１４でデジタルデータ（通話データ）に変換された後、呼出データと同様に上り伝送フレーム化されてインターホン親機２に伝送され、インターホン親機２のスピーカ２３から来訪者音声が報音される。そして、これら下り伝送フレームの伝送、上り伝送フレームの伝送は、親機伝送フレーム組立分離回路２５の制御により、上述した周期Ｔのタイミングで交互に実施される。
【００２２】
このように、ローカルエリアネットワークの物理層を構成する１対の伝送線を使用して双方向通信を実施でき、来訪者と居住者の間で通話することができる。よって、既存のシステムで使用している２線式の伝送線路に加えて新たな伝送線路を配設することなく、インターホン子機とインターホン親機との間の通信をローカルエリアネットワークを利用する構成に変更できる。
また、広帯域アナログスイッチによりインピーダンス切り換えすることで、確実に伝送路のインピーダンスの高／低を切り替えでき、良好な通信を実現できる。
【００２３】
図４は、本発明に係る監視カメラシステムのブロック図であり、監視カメラ装置３と、監視カメラ装置３の撮像映像を表示するモニタ装置４とから構成され、両者はＬＡＮ物理層を構成する一対の伝送線Ｌ２で接続されている。個々の機器の構成は次の通りである。
【００２４】
図４に示すように、監視カメラ装置３は、来訪者を撮像してデジタル撮像信号を出力するカメラ３１、データを送受するために伝送フレームの組み立て及び分離を行う子機伝送フレーム組立分離回路３５、ＬＡＮ物理層のうちの送信端子及び受信端子と接続して通信するためのＬＡＮ物理層構築部３６、子機ＬＡＮ物理層構築部３６の送信端子が伝送線Ｌ２からみて出力状態（低インピーダンス状態）または高インピーダンス状態の何れかに見えるように切替操作する広帯域アナログスイッチ３７、伝送線Ｌ２と監視カメラ装置３の回路との間を絶縁するためのパルストランス３８等を備えている。
【００２５】
尚、カメラ３１は、人感センサを備えて人物が接近すると自動で撮像を開始するよう構成されているし、パン／チルト制御機能、ズーム機能を備えて、モニタ装置４から制御可能となっている。また、子機伝送フレーム組立分離回路３５は、広帯域アナログスイッチ３７のオン／オフを制御するインピーダンス制御部でもある。
【００２６】
また、モニタ装置４は、デジタル映像信号を表示するためのディスプレイ４１、監視カメラ装置３のカメラのパン／チルト等の操作を行うための操作部４４、データを送受するために伝送フレームの組み立て及び分離を行う親機伝送フレーム組立分離回路４５、ＬＡＮの物理層を使用して通信するためのＬＡＮ物理層構築部４６、ＬＡＮ物理層構築部４６の送信端子が伝送線Ｌ２からみて出力状態（低インピーダンス状態）または高インピーダンス状態に見えるように切替操作する広帯域アナログスイッチ４７、伝送線Ｌ２とモニタ装置４の回路との間を絶縁するためのパルストランス４８等を備えている。尚、親子伝送フレーム組立分離回路４５は広帯域アナログスイッチ４７のオン／オフを制御するインピーダンス制御部でもある。
【００２７】
上記の如く構成された監視カメラシステムの動作を次に説明する。図５は、伝送線Ｌ２を介して送受される伝送フレームの構成及び伝送状態を示す図であり、（Ｃ）はモニタ装置４から監視カメラ装置３へ伝送される下り伝送フレーム、（Ｄ）は監視カメラ装置３からモニタ装置４へ伝送される上り伝送フレームを示している。また、図６は下り伝送フレームと上り伝送フレームの伝送タイミングを示すタイミング図である。
この図５に示すように、伝送フレームは、ＬＡＮのＭＡＣフレームで使用されるプリアンブル（ｅ２）とアイドル（ｅ３）とで伝送データ（ｅ１）をカプセル化されて構成されている。そして、図６に示すように、モニタ装置４から一定周期Ｔで監視カメラ装置３に対して下り伝送フレームが送信され、この下り伝送フレームを受けて、監視カメラ装置３は上り伝送フレームを送信する。こうして半二重通信を行うことで双方向通信を実施している。
【００２８】
詳しくは、モニタ装置４が下り伝送フレームを送信する際に、親機伝送フレーム組立分離回路４５は、自身が管理する広帯域アナログスイッチ４７をオン操作してＬＡＮ物理層構築部４６の送信端子を低インピーダンス状態とする。同時に、子機伝送フレーム組立分離回路３５は、ＬＡＮ物理層構築部３６の送信端子が伝送線Ｌ２から見て高インピーダンスになり、特性インピーダンスで終端を行った状態となるよう広帯域アナログスイッチ３７をオフ操作する。
この状態で、親機伝送フレーム組立分離回路４５は、上述したようにＬＡＮのＭＡＣフレームで使用されるプリアンブルとアイドルとで通話データから成る伝送データをカプセル化した下り伝送フレームを生成してＬＡＮ物理層構築部４６へ出力する。ＬＡＮ物理層構築部４７では、この下り伝送フレームをＬＡＮ送信が可能な物理層データに変換して、伝送線Ｌ２に送出する。尚、親機伝送フレーム組立分離回路４５は、下り伝送フレーム送信後、広帯域アナログスイッチ４７をオフ操作して親機ＬＡＮ物理層構築部４６の送信端子を高インピーダンス状態とする。
【００２９】
一方、監視カメラ装置３は、モニタ装置４から下り伝送フレームを受信したら、上り伝送フレームを送信する。即ち、子機伝送フレーム組立分離回路３５は、上述したようにＬＡＮのＭＡＣフレームで使用されるプリアンブルとアイドルとで通話データや映像データをカプセル化して上り伝送フレームを生成する。この上り伝送フレームは、ＬＡＮ物理層構築部３６で物理層データに変換されて伝送線Ｌ２に送出される。尚、子機伝送フレーム組立分離回路３５は、上り伝送フレームを出力する際に、広帯域アナログスイッチ３７をオン操作してＬＡＮ物理層構築部３６の送信端子を低インピーダンス状態とする。
【００３０】
具体的なカメラ３１の撮像動作及びカメラ制御は次のように行われる。監視カメラ装置３の図示しない人感センサが感知動作してカメラ３１が撮像を開始すると、子機伝送フレーム組立分離回路３５において撮像データがカプセル化されて上り伝送フレームが形成され、ＬＡＮ物理層構築部３６で物理層データに変換され、伝送線Ｌ２を介してモニタ装置４に伝送される。
【００３１】
このカプセル化された映像データを受信したモニタ装置４は、ＬＡＮ物理層構築部４６でデータ変換された後、親機伝送フレーム組立分離回路４５で映像データが分離される。そして、取り出された映像データは、ディスプレイ４１に送られて表示される。
その後、この表示映像を見た居住者等が操作部４４を操作してパン／チルト操作等を行うと、デジタル信号から成る制御信号が親機伝送フレーム組立分離回路４５に出力される。親機伝送フレーム組立分離回路４５は、この制御信号（制御データ）をカプセル化して下り伝送フレームを形成し、ＬＡＮ物理層構築部４６で物理層データに変換されて伝送線Ｌ２を介して監視カメラ装置３に送出される。
【００３２】
監視カメラ装置３では、この下り伝送フレームを受信したらＬＡＮ物理層構築部３６でデータ変換された後、子機伝送フレーム組立分離回路３５で制御信号が分離されてカメラ３１に送出され、カメラ３１のパン／チルト操作が実施される。そして、これら下り伝送フレームの伝送、上り伝送フレームの伝送は、親機伝送フレーム組立分離回路４５の制御により、上述した周期Ｔのタイミングで交互に実施される。
【００３３】
このように、ローカルエリアネットワークの物理層を構成する１対の伝送線を使用して双方向通信を実施でき、不審者を監視できる。よって、既存のシステムで使用している２線式の伝送線路に加えて新たな伝送線路を配設することなく、監視カメラとモニタ装置との間の通信をローカルエリアネットワークを利用する構成に変更できる。
また、広帯域アナログスイッチによりインピーダンス切り換えすることで、確実に伝送路のインピーダンスの高／低を切り替えでき、良好な通信を実現できる。
【００３４】
尚、上記監視カメラシステムは、通話機能を備えていないが、上記インターホンシステムの如く通話機能を備えて、カメラ３１が撮像している人物と通話を可能とする構成としても良い。
また、上記実施形態では、何れもインピーダンス切換手段を広帯域アナログスイッチ１７，３７としているが、ＬＡＮ物理層構築部１６，３６にインピーダンス切換機能を内蔵させても良い。
【図面の簡単な説明】
【００３５】
【図１】本発明に係るインターホンシステムの一例を示すブロック図である。
【図２】図１の伝送線を介して送受される伝送フレームの構成及び伝送状態を示す図である。
【図３】図２の下り伝送フレームと上り伝送フレームの伝送タイミングを示すタイミング図である。
【図４】本発明に係る監視カメラシステムの一例を示すブロック図である。
【図５】図４の伝送線を介して送受される伝送フレームの構成及び伝送状態を示す図である。
【図６】図４の下り伝送フレームと上り伝送フレームの伝送タイミングを示すタイミング図である。
【符号の説明】
【００３６】
１・・インターホン子機、２・・インターホン親機、３・・監視カメラ、４・・モニタ装置、１５・・子機伝送フレーム組立分離回路（カプセル化手段、インピーダンス制御部）、１６・・ＬＡＮ物理層構築部、１７・・広帯域アナログスイッチ（インピーダンス切換手段）、２５・・親機伝送フレーム組立分離回路（カプセル化手段、インピーダンス制御部）、２６・・ＬＡＮ物理層構築部、２７・・広帯域アナログスイッチ、３１・・カメラ、３５・・子機伝送フレーム組立分離回路（カプセル化手段、インピーダンス制御部）、３６・・ＬＡＮ物理層構築部、３７・・広帯域アナログスイッチ（インピーダンス切換手段）、４１・・ディスプレイ、４５・・親機伝送フレーム組立分離回路（カプセル化手段、インピーダンス制御部）、４６・・ＬＡＮ物理層構築部、４７・・広帯域アナログスイッチ（インピーダンス切換手段）。
【図１】
2010011218.tif 000003
【図２】
2010011218.tif 000004
【図３】
2010011218.tif 000005
【図４】
2010011218.tif 000006
【図５】
2010011218.tif 000007
【図６】
2010011218.tif 000008